(57)【要約】【課題】マイクロレンズ活動機構保護構造の提供。【解決手段】マイクロレンズフォーカス構造のベース中に設けられ、トップカバー、ホルダシート、少なくとも一つの弾性部品及び少なくとも一つの保護片を包含し、ホルダシートがレンズヘッドを保持し、弾性部品はトップカバーとホルダシートを連接し、ホルダシートをベース中に保持し、ホルダシートを垂直方向のフォーカス移動及び復元可能とし、保護片は該弾性部品の外部に設けられ、並びにトップカバーの中空構造内に収容されて該ホルダシートの水平活動を制限し、並びにレンズヘッドがホルダシート内に装着されるときの回転トルクにより弾性部品が変形するのを防止する。【選択図】図３
2009015224.tif 000002
【特許請求の範囲】
【請求項１】
マイクロレンズ活動機構保護構造において、該マイクロレンズ活動機構保護構造はマイクロレンズフォーカス機構のベース（５０）中に設けられ、
該ベース（５０）中に設けられて中空構造とされる、トップカバー（３０）と、
レンズ（３９）を積載するホルダシート（３６）と、
該トップカバー（３０）と該ホルダシート（３６）を連接し、該ホルダシート（３６）を支持し並びにそれを該ベース（５０）中で懸空状態となし、該ホルダシート（３６）を垂直方向のフォーカス移動及び復原可能とする、少なくとも一つの弾性部品と、
該弾性部品の外部に設けられ、並びに該トップカバー（３０）の中空構造内に収容されて、該ホルダシート（３６）の水平活動を制限し、並びに該レンズ（３９）の該ホルダシート（３６）内へのねじ込み時の回転トルクを制限し、該弾性部品の変形を防止する、少なくとも一つの保護片（３１）と、
を包含したことを特徴とする、マイクロレンズ活動機構保護構造。
【請求項２】
請求項１記載のマイクロレンズ活動機構保護構造において、該ベース（５０）中にさらにコイル部品（３５）とサポートフレーム（３３）が設けられ、該コイル部品（３５）が該ホルダシート（３６）の外周を被覆し、該サポートフレーム（３３）は該コイル部品（３５）の外周を被覆し、該サポートフレーム（３３）の周囲に複数の磁性部品（３４）が嵌め込まれ、該コイル部品（３５）と該磁性部品（３４）が通電電流活動により該ホルダシート（３６）と該レンズ（３９）に上下の垂直方向のフォーカス移動を発生させることを特徴とする、マイクロレンズ活動機構保護構造。
【請求項３】
請求項１記載のマイクロレンズ活動機構保護構造において、該トップカバー（３０）に少なくとも一つの嵌入部（４２）が設けられ、該保護片（３１）に該嵌入部（４２）に対応する少なくとも一つの係止部（４３）が設けられ、該嵌入部（４２）に該係止部（４３）が嵌め込まれて、該保護片（３１）が該トップカバー（３０）に固定されて、該弾性部品の回転程度或いは水平方向の活動が制限されたことを特徴とする、マイクロレンズ活動機構保護構造。
【発明の詳細な説明】
【技術分野】
【０００１】
本発明は一種のマイクロレンズ機構保護構造に係り、特に、マイクロレンズ中においてフォーカス機構の弾性部品の変形を防止する保護構造に関する。
【背景技術】
【０００２】
科学技術の進歩により、デジタルカメラの体積は相当小さく縮小され、現在、携帯電話のほとんどがデジタルカメラの機能を有している。これらはいずれも撮像レンズのモジュール化とマイクロ化によるものであり、マイクロレンズ内には多種類の自動フォーカス駆動構造があり、現在最も一般的に使用されているのはボイスコイルモータ（ＶＣＭ）であり、その体積は小さく、使用電力は少なく、移動が正確で価格が低廉である等の長所により、マイクロレンズ自動フォーカスの短距離駆動に適合する。
【０００３】
図１のように、周知のレンズフォーカス機構はトップカバー１０、ボトムカバー１１、レンズホルダ１２及びアウターフレーム１３を包含し、そのアウターフレーム１３内の四周辺にそれぞれ磁石１４が嵌め込まれ、該レンズホルダ１２内にネジ山１５が設けられ、レンズ１６を螺合、支持でき、レンズホルダ１２の外周にコイル１７が嵌合され、レンズホルダ１２はアウタフレーム１３内の四つの磁石１４の中心で活動可能で、並びにコイル１７が通電により発生する磁場極性と四つの磁石１４の排斥と吸引により、レンズホルダ１２が駆動されて焦点活動を行い、レンズホルダ１２は上弾性片１８及び下弾性片１９により四つの磁石１４の中止部分に支持される。
【０００４】
レンズ１６がレンズホルダ１２にねじ込まれる過程で、レンズホルダ１２に対して回転トルクを発生し、支持する上弾性片１８、下弾性片１９の厚さは非常に薄く、一般に０．０６センチメートルであり、且つ弾性片は非常に細いため、図２に示されるように、容易に螺合時のトルクの影響を受けて変形し、ときには切断されてしまう。
【０００５】
レンズフォーカス機構に節電と迅速な動作の長所を達成させるため、レンズホルダ１２を支持する弾性部品はいずれも弾性垂直活動可能に設計され、水平方向には弾力保護はなく、このためレンズが脱落する恐れがあり、落下時の衝撃時によってレンズの水平方向の活動が弾性部品の毀損を形成し、ときにはレンズが弾力保護を失い損壊する。
【発明の開示】
【発明が解決しようとする課題】
【０００６】
本発明の目的は、一種のマイクロレンズ活動機構保護構造を提供することにあり、それは、マイクロレンズフォーカス機構中の弾性部品に変形が発生するのを防止する保護構造であるものとする。
【０００７】
上述の目的を達成するため、本発明のマイクロレンズ活動機構保護構造は、マイクロレンズフォーカス機構のベース中に設けられ、それは、トップカバー、ホルダシート、少なくとも一つの弾性部品及び少なくとも一つの保護片を包含し、ホルダシートがレンズヘッドを保持し、弾性部品はトップカバーとホルダシートを連接し、ホルダシートをベース中に保持し、ホルダシートを垂直方向のフォーカス移動及び復元可能とし、保護片は該弾性部品の外部に設けられ、並びにトップカバーの中空構造内に収容されて該ホルダシートの水平活動を制限し、並びにレンズヘッドがホルダシート内に装着されるときの回転トルクにより弾性部品が変形するのを防止するものとされる。
【０００８】
また上述の目的を達成するため、本発明は上述のマイクロレンズ活動機構保護構造を提供し、そのうち、トップカバーには少なくとも一つの嵌入部が設けられ、該保護片には該嵌入部に対応する少なくとも一つの係止部が設けられ、該係止部が該嵌入部に挿入されて、該保護片が該トップカバーに固定されて該弾性部品の回転程度或いは水平方向の活動を制限する。
【課題を解決するための手段】
【０００９】
請求項１の発明は、マイクロレンズ活動機構保護構造において、該マイクロレンズ活動機構保護構造はマイクロレンズフォーカス機構のベース（５０）中に設けられ、
該ベース（５０）中に設けられて中空構造とされる、トップカバー（３０）と、
レンズ（３９）を積載するホルダシート（３６）と、
該トップカバー（３０）と該ホルダシート（３６）を連接し、該ホルダシート（３６）を支持し並びにそれを該ベース（５０）中で懸空状態となし、該ホルダシート（３６）を垂直方向のフォーカス移動及び復原可能とする、少なくとも一つの弾性部品と、
該弾性部品の外部に設けられ、並びに該トップカバー（３０）の中空構造内に収容されて、該ホルダシート（３６）の水平活動を制限し、並びに該レンズ（３９）の該ホルダシート（３６）内へのねじ込み時の回転トルクを制限し、該弾性部品の変形を防止する、少なくとも一つの保護片（３１）と、
を包含したことを特徴とする、マイクロレンズ活動機構保護構造としている。
請求項２の発明は、請求項１記載のマイクロレンズ活動機構保護構造において、該ベース（５０）中にさらにコイル部品（３５）とサポートフレーム（３３）が設けられ、該コイル部品（３５）が該ホルダシート（３６）の外周を被覆し、該サポートフレーム（３３）は該コイル部品（３５）の外周を被覆し、該サポートフレーム（３３）の周囲に複数の磁性部品（３４）が嵌め込まれ、該コイル部品（３５）と該磁性部品（３４）が通電電流活動により該ホルダシート（３６）と該レンズ（３９）に上下の垂直方向のフォーカス移動を発生させることを特徴とする、マイクロレンズ活動機構保護構造としている。
請求項３の発明は、請求項１記載のマイクロレンズ活動機構保護構造において、該トップカバー（３０）に少なくとも一つの嵌入部（４２）が設けられ、該保護片（３１）に該嵌入部（４２）に対応する少なくとも一つの係止部（４３）が設けられ、該嵌入部（４２）に該係止部（４３）が嵌め込まれて、該保護片（３１）が該トップカバー（３０）に固定されて、該弾性部品の回転程度或いは水平方向の活動が制限されたことを特徴とする、マイクロレンズ活動機構保護構造としている。
【発明の効果】
【００１０】
本発明のマイクロレンズ活動機構保護構造は、マイクロレンズフォーカス構造のベース中に設けられ、トップカバー、ホルダシート、少なくとも一つの弾性部品及び少なくとも一つの保護片を包含し、ホルダシートがレンズヘッドを保持し、弾性部品はトップカバーとホルダシートを連接し、ホルダシートをベース中に保持し、ホルダシートを垂直方向のフォーカス移動及び復元可能とし、保護片は該弾性部品の外部に設けられ、並びにトップカバーの中空構造内に収容されて該ホルダシートの水平活動を制限し、並びにレンズヘッドがホルダシート内に装着されるときの回転トルクにより弾性部品が変形するのを防止する。
【発明を実施するための最良の形態】
【００１１】
図３は本発明のマイクロレンズ活動機構保護構造の立体分解図であり、図４は図３からレンズと上ケースを取り外した局部組合せ立体図である。本発明のマイクロレンズフォーカス機構は、ベース５０を包含し、該ベース５０は、上ケース５１及びボトムシート５２を包含する。該上ケース５１内にはトップカバー３０、保護片３１、第１弾性部品３２、サポートフレーム３３、複数の磁性部品３４、コイル部品３５、ホルダシート３６、第２弾性部品３７、該ホルダシート３６はレンズ３９を保持し、該ホルダシート３６は中空貫通構造とされ且つ貫通孔４０を具備し、貫通孔４０とレンズ３９の間に相互に対応するネジ山構造４１が設けられ、レンズ３９が貫通孔４０中に螺合可能とされている。
【００１２】
該トップカバー３０は中空構造とされ、その中空の周囲に少なくとも一つの嵌入部４２が設けられ、該第１弾性部品３２及び第２弾性部品３７はいずれも中空構造とされ、ホルダシート３６を支持し並びにそれを懸空状態となし、該第１弾性部品３２はホルダシート３６とトップカバー３０を連結し、該第２弾性部品３７はホルダシート３６とボトムシート５２を連結する。
【００１３】
該コイル部品３５は中空構造とされ、該ホルダシート３６の外周を被覆し、該サポートフレーム３３は中空構造とされ、該コイル部品３５の外周を被覆し、該磁性部品３４は永久磁石に属し、それはサポートフレーム３３の周囲に嵌設される。該コイル部品３５と該磁性部品３４の通電電流活動により、該ホルダシート３６とレンズが上下垂直方向のフォーカス移動を形成し、並びに第１弾性部品３２及び第２弾性部品３７により支持及び復元される。該ボトムシート５２は中空構造とされ、且つその内側輪郭はホルダシート３６の外側輪郭に対応し、ホルダシート３６が該ボトムシート５２内に収容可能とされる。
【００１４】
該保護片３１は中空構造とされ、硬性材料例えば金属板或いはプラスチックシートで製造され、該保護片３１は第１弾性部品３２の上方或いは外部に設けられ、並びにトップカバー３０の中空構造内に収容されて、該保護片３１とトップカバー３０の間の間隙がわずかに０．１２ｃｍとされ、該保護片３１の周囲に少なくとも一つの係止部４３が設けられ、該係止部４３はトップカバー３０の嵌入部４２に対応し、係止部４３が嵌入部４２に嵌め込まれて保護片３１がトップカバー３０に固定され、該弾性部品の回転程度が制限されるか或いは水平方向の活動が０．１２ｃｍ内に制限される。
【００１５】
図１と併せて図５を参照されたい。図５は本発明の局部断面表示図である。レンズ３９がホルダシート３６にねじ込まれる過程中に、レンズ３９は貫通孔４０中にねじ込まれ、それはホルダシート３６を支持する第１弾性部品３２、第２弾性部品３７に対して回転トルクを発生し、保護片３１はその係止部４３がトップカバー３０の嵌入部４２に嵌め込まれ、ホルダシート３６の回転程度が制限され、保護片３１は回転範囲に制限があるため弾性部品のトルクを制限し、弾性部品が回転螺合のトルクにより変形するのを防止する。
【００１６】
また、保護片３１は僅かに上下の垂直活動が可能で、水平活動は係止部と嵌入部の制限を受け、且つ保護片３１の厚さは０．２５ｃｍに達し、このため落下の衝撃力を吸収する十分な厚さを有し、このため落下時に、保護片３１は大きな衝撃力が第１弾性部品３２の水平方向の移動を制限して変形を発生させるのを防止し、これによりレンズが衝撃力の影響を受けるのを防止する。
【００１７】
総合すると、本発明のマイクロレンズ活動機構保護構造は保護片３１を具え、該保護片３１が第１弾性部品３２を被覆してレンズ３９の回転トルクを制限し、またレンズの水平方向の活動を制限し、ゆえに第１弾性部品３２を保護し変形を発生させない。
【図面の簡単な説明】
【００１８】
【図１】周知のレンズフォーカス機構の立体分解図である。
【図２】図１の局部断面図である。
【図３】本発明のマイクロレンズ活動機構保護構造の立体分解図である。
【図４】図３からレンズと上ケースを取り外した局部組合せ立体図である。
【図５】図５は本発明の局部断面表示図である。
【符号の説明】
【００１９】
１０  トップカバー
１１  ボトムカバー
１２  レンズホルダ
１３  アウターフレーム
１４  磁石
１５  ネジ山
１６  レンズ
１７  コイル
１８  上弾性片
１９  下弾性片
３０  トップカバー
３１  保護片
３２  第１弾性部品
３３  サポートフレーム
３４  磁性部品
３５  コイル部品
３６  ホルダシート
３７  第２弾性部品
３９  レンズ
４０  貫通孔
４１  ネジ山構造
４２  嵌入部
４３  係止部
５０  ベース
５１  上ケース
５２  ボトムシート
【図１】
2009015224.tif 000003
【図２】
2009015224.tif 000004
【図３】
2009015224.tif 000005
【図４】
2009015224.tif 000006
【図５】
2009015224.tif 000007